(57)【要約】【課題】統合管理センターで各水処理施設の災害発生時の状況を把握することができる水処理施設統合運用管理システムを得る。【解決手段】各水処理施設２には、水処理施設２のプラントデータを収集して統合管理センター１に送信する水処理施設Ｗｅｂサーバ２４と、災害発生時に災害情報が入力されるとともに入力された災害情報を統合管理センター１に送信する水処理施設側Ｗｅｂ端末２５とを備えるとともに、統合管理センター１には、プラントデータをチェックして異常値のとき警報を出力するとともに全ての水処理施設２での災害情報を示すコンテンツを製作する統合Ｗｅｂサーバ１３と、製作されたコンテンツを用いて災害に対応する指示が入力される統合管理センター側Ｗｅｂ端末１２とを備えたものである。【選択図】図１
2008165549.tif 000002
【特許請求の範囲】
【請求項１】
複数の水処理施設にそれぞれ配置された水処理施設側装置と、統合管理センター側装置がネットワークを介して接続された水処理施設統合運用管理システムであって、
上記水処理施設側装置として、水処理施設のプラントデータを収集して上記統合管理センター側装置に送信する水処理施設Ｗｅｂサーバと、災害発生時に上記発生した災害に関する情報が入力されるとともに上記入力された災害に関する情報を上記統合管理センター側装置に送信する水処理施設側Ｗｅｂ端末とを備え、
上記統合管理センター側装置として、上記プラントデータが異常値のとき警報を出力するとともに上記全ての水処理施設での災害に関する情報を含むコンテンツを製作する統合Ｗｅｂサーバと、この統合Ｗｅｂサーバによって製作されたコンテンツを用いて上記災害に対応する指示が入力される統合管理センター側Ｗｅｂ端末とを備えたことを特徴とする水処理施設統合運用管理システム。
【請求項２】
上記水処理施設側装置として、映像を蓄積した映像サーバを備え、上記水処理施設Ｗｅｂ端末は、上記入力された災害に関する情報を上記統合管理センター側装置に送信するときに、上記災害に関連する映像を取得して上記統合管理センター側装置に送信することを特徴とする請求項１記載の水処理施設統合運用管理システム。
【請求項３】
上記水処理施設Ｗｅｂサーバは、上記映像サーバに蓄積された映像を上記統合管理センター側装置に送信するための災害の条件を予め定めた映像送信条件テーブルを有し、上記映像送信条件テーブルに定められた災害の条件が満足されれば、自動的に上記映像を上記映像サーバから取得して上記統合管理センター側装置に送信することを特徴とする請求項２記載の水処理施設統合運用管理システム。
【請求項４】
上記水処理施設側装置として、上記水処理施設の設備図面及び設備台帳を含む維持管理データが蓄積された維持管理サーバを備え、上記水処理施設Ｗｅｂ端末は、上記入力された災害に関する情報を上記統合管理センター側装置に送信するときに、上記災害に関連する維持管理データを取得して上記統合管理センター側装置に送信することを特徴とする請求項１〜請求項３のいずれかに記載の水処理施設統合運用管理システム。
【請求項５】
上記水処理施設Ｗｅｂサーバは、上記維持管理サーバに蓄積された維持管理データを上記統合管理センター側装置に送信するための災害の条件を予め定めた維持管理データ送信条件テーブルを有し、上記維持管理データ送信条件テーブルに定められた災害の条件が満足されれば、自動的に上記維持管理データを上記維持管理サーバから取得して上記統合管理センター側装置に送信することを特徴とする請求項４記載の水処理施設統合運用管理システム。
【請求項６】
上記統合Ｗｅｂサーバによって製作されたコンテンツは、地図上に水処理施設を表示するとともに、上記表示された水処理施設が選択されることにより、上記選択された水処理施設に関連する上記災害に関する情報を表示することを特徴とする請求項１〜請求項５のいずれかに記載の水処理施設統合運用管理システム。
【請求項７】
上記統合管理センター側装置として、上記統合Ｗｅｂサーバによって製作されたコンテンツを蓄積する履歴情報蓄積手段を備えたことを特徴とする請求項１〜請求項６のいずれかに記載の水処理施設統合運用管理システム。
【発明の詳細な説明】
【技術分野】
【０００１】
この発明は、災害発生時などの異常時に、複数の水処理施設をトータル的に運用、監理、各水処理施設に対して対応指示を行う水処理施設統合運用管理システムに関するものである。
【背景技術】
【０００２】
従来は、水処理施設の災害発生時などの異常時においては、電話連絡などで状況報告、対応指示などが行われていた。
この方式では、電話による連絡なので、各水処理施設の実際の状況把握、刻々と変化する状況把握が困難であるという問題があった。
特許文献１には、プロセス系ネットワークシステムには影響（安全性、信頼性）を与えることなく、プラントの情報をＷｅｂ公開し、電子メールの通報や作業員が現場に到着するまでに状況が確認できるものが記載されている。
【０００３】
【特許文献１】特開２０００−１１２５２０公報（第２〜５頁、図１）
【発明の開示】
【発明が解決しようとする課題】
【０００４】
従来では、震災、台風、大雨などの災害発生時において、上述のように、各水処理施設側の状況を把握するのが、統合管理センター（統合運用監理拠点）では困難な状況であった。
特許文献１のものでは、どのような形で運用するかと言う内容や、各プロセス系（各水処理施設）からの状況入力、統合管理センターなど統合運用管理している拠点からの対応指示などについては、記載されていなかった。
【０００５】
この発明は、上述のような課題を解決するためになされたものであり、統合管理センターで各水処理施設の災害発生時の状況を把握することができる水処理施設統合運用管理システムを得ることを目的にしている。
【課題を解決するための手段】
【０００６】
この発明に係わる水処理施設統合運用管理システムにおいては、複数の水処理施設にそれぞれ配置された水処理施設側装置と、統合管理センター側装置がネットワークを介して接続された水処理施設統合運用管理システムであって、
水処理施設側装置として、水処理施設のプラントデータを収集して統合管理センター側装置に送信する水処理施設Ｗｅｂサーバと、災害発生時に発生した災害に関する情報が入力されるとともに入力された災害に関する情報を統合管理センター側装置に送信する水処理施設側Ｗｅｂ端末とを備え、
統合管理センター側装置として、プラントデータが異常値のとき警報を出力するとともに全ての水処理施設での災害に関する情報を含むコンテンツを製作する統合Ｗｅｂサーバと、この統合Ｗｅｂサーバによって製作されたコンテンツを用いて災害に対応する指示が入力される統合管理センター側Ｗｅｂ端末とを備えたものである。
【発明の効果】
【０００７】
この発明は、以上説明したように、複数の水処理施設にそれぞれ配置された水処理施設側装置と、統合管理センター側装置がネットワークを介して接続された水処理施設統合運用管理システムであって、
水処理施設側装置として、水処理施設のプラントデータを収集して統合管理センター側装置に送信する水処理施設Ｗｅｂサーバと、災害発生時に発生した災害に関する情報が入力されるとともに入力された災害に関する情報を統合管理センター側装置に送信する水処理施設側Ｗｅｂ端末とを備え、
統合管理センター側装置として、プラントデータが異常値のとき警報を出力するとともに全ての水処理施設での災害に関する情報を含むコンテンツを製作する統合Ｗｅｂサーバと、この統合Ｗｅｂサーバによって製作されたコンテンツを用いて災害に対応する指示が入力される統合管理センター側Ｗｅｂ端末とを備えたので、プラントデータは、自動で統合管理センター側に送信され、各水処理施設側は、災害に関する情報を入力するだけでよく、且つ、統合管理センター側では全ての水処理施設の状況、異常発生時の状況把握が容易になる。
【発明を実施するための最良の形態】
【０００８】
実施の形態１．
以下、この発明の実施の形態１について説明する。
図１は、この発明の実施の形態１による水処理施設統合運用管理システムを示す全体構成図である。
図１において、統合管理センター１と水処理施設２とは、統合管理センター側のＬ３スイッチ／ルータ１１と、水処理施設側のＬ３スイッチ／ルータ２１を介して、事業者回線あるいは自営による光ファイバーなどの通信回線３により接続されている。統合管理センター１は、端末統合管理センター側Ｗｅｂ端末１２と統合Ｗｅｂサーバ１３とを有し、端末統合管理センター側Ｗｅｂ端末１２は、表示装置、水処理施設トータルでの災害情報を確認、また、各水処理施設２に対して災害対応指示を入力する。統合Ｗｅｂサーバ１３は、水処理施設２から受信したデータをチェックして警報を発したり、全水処理施設での水処理施設状況を示す災害情報コンテンツを製作する。
水処理施設２には、監視制御装置２２と、データベース装置２３と、水処理施設Ｗｅｂサーバ２４と、水処理施設側Ｗｅｂ端末２５が配置されている。監視制御装置２２は、制御ＬＡＮ２７を介して接続されたプロセスコントローラ２６に対して、プラント操業を行なう制御指令等を出力し、プラント操業状態を表示する。データベース装置２３は、制御ＬＡＮ２７からプラントの運転情報であるプラントデータを収集、蓄積する。水処理施設Ｗｅｂサーバ２４は、統合管理センター１の統合Ｗｅｂサーバ１３に対して、プラントデータを送信する。水処理施設側Ｗｅｂ端末２５は、水処理施設２の災害情報の入力や統合管理センター１からの対応指示を確認する。
【０００９】
図２は、この発明の実施の形態１による水処理施設統合運用管理システムの各装置を示す構成図である。
図２において、統合Ｗｅｂサーバ１３は、送信データ要求をテーブル化した送信データ要求テーブル１３２と、水処理施設Ｗｅｂサーバ２４からプラントデータの定周期収集データを受信するデータ受信部１３１と、受信したプラントデータをチェックするデータチェック部１３３と、チェック結果に基づき警報出力管理テーブル１３４に応じて警報出力する警報出力部１３５と、受信したプラントデータを蓄積するプラントデータ蓄積部１３６と、災害情報を入力するためのコンテンツを製作する災害情報入力コンテンツ製作部１３８と、プラントデータ、災害情報を元にして、全ての水処理施設での災害情報を示す災害情報コンテンツを製作する災害情報コンテンツ製作部１３９と、製作された災害情報コンテンツを蓄積する災害情報コンテンツ蓄積部１３０と、コンテンツ表示要求を受信し、災害情報入力コンテンツ製作部１３８と災害情報コンテンツ製作部１３９に伝えるコンテンツ表示要求受信部１３７とを有する。
統合管理センター側Ｗｅｂ端末１２は、コンテンツ表示要求を行うコンテンツ表示要求部１２１と、災害に対応した指示データを入力する指示データ入力部１２２と、画面表示を行う画面表示部１２３とを有している。
データベース装置２３は、帳票、トレンドデータを含む定周期に収集したプラントデータである定周期収集データ２３１を有している。水処理施設Ｗｅｂサーバ２４は、定周期収集データ２３１を受信するデータ受信部２４１と、受信した定周期収集データを統合Ｗｅｂサーバ１３に送信するデータ送信部２４２とを有している。水処理施設側Ｗｅｂ端末２５は、画面表示を行う画面表示部２５１と、災害情報を入力する災害情報入力部２５２とコンテンツ表示要求を行うコンテンツ表示要求部２５３を有している。
【００１０】
図３は、この発明の実施の形態１による水処理施設統合運用管理システムの各装置のフローを示す図である。
【００１１】
図４は、この発明の実施の形態１による水処理施設統合運用管理システムの水処理施設災害情報画面例を示す図である。
図４では、Ａ水処理施設、Ｂ水処理施設など水処理施設ごとに状況が画面表示され、各設備状況についてのコメント４１が示されるとともに、指示事項４５が入力される。
【００１２】
図５は、この発明の実施の形態１による水処理施設統合運用管理システムの水処理施設災害情報入力画面例を示す図である。
図５において、設備状況入力欄５１を有し、送信ボタン５２を有している。
【００１３】
図６は、この発明の実施の形態１による水処理施設統合運用管理システムの統合Ｗｅｂサーバ１３の受信信号定義ファイルを示す図である。
図６において、受信信号定義ファイルは、水処理施設ごと及びプラントデータごとに、データの異常上限値６１が定義され、データチェック部１３３によるデータチェックに用いられる。
【００１４】
次に、動作について図３に沿って説明する。
図３で、まず、水処理施設Ｗｅｂサーバ２４にて、データベース装置２３よりプラント運転情報（主機の運転／故障情報、河川の水位、流流量、処理量など）である定周期収集データ２３１（プラントデータ）をデータ受信部２４１にて収集、データ送信部２４２により統合Ｗｅｂサーバ１３のデータ受信部１３１へ送信する（Ｓ１）。送信される定周期収集データの異常上限値については、事前に図６の受信信号定義ファイルにて定義する。
また、水処理施設側Ｗｅｂ端末２５にて、予め統合Ｗｅｂサーバ１３の災害情報入力コンテンツ製作部１３８で作成されている災害情報入力画面（図５）を表示し（Ｓ１１）、この画面により災害情報を入力する（Ｓ１２）。
統合Ｗｅｂサーバ１３では、予め統合Ｗｅｂサーバ１３の災害情報入力コンテンツ製作部１３８で災害情報入力画面（図５）を製作する（Ｓ２１）。水処理施設Ｗｅｂサーバ２４から受信（Ｓ２２）したプラントデータ、災害情報をもとに、災害情報コンテンツ製作部１３９にて、図４に示すような、全ての水処理施設での災害情報を示す災害情報コンテンツを製作する（Ｓ２３）。このとき、統合管理センター側Ｗｅｂ端末１２では、コンテンツ画面表示（Ｓ３１）を行う。統合監理センター側では、水処理施設トータルでの災害情報コンテンツ（図４）をもとに、各水処理施設２に対して、統合管理センター側Ｗｅｂ端末１２を用いて指示内容の入力を行う（Ｓ２４）。
統合管理センター側Ｗｅｂ端末１２は、このとき、コンテンツ画面表示し（Ｓ３２）、この画面で災害対応の指示内容を入力する（Ｓ３３）。
各水処理施設２では、水処理施設側Ｗｅｂ端末２５にて指示内容を確認し（Ｓ１３）、指示通りの運転を行う。
また、統合Ｗｅｂサーバ１３では、プラント運転情報を元に、図６の受信信号定義ファイルを用いて、データチェック部１３３にてデータのチェック（上限値異常など）し、異常があれば、警報出力部１３５経由で、スピーカなどで異常出力する。
【００１５】
実施の形態１によれば、プラント運転情報は、自動で統合管理センター側に送信されるので、各水処理施設側は、災害情報のみの入力でよく、且つ、統合管理センター側ではそれぞれの水処理施設の現時点（現在時刻）の状況、異常発生時の状況把握、及び水処理施設トータルでの状況把握が可能となるため、最適な指示を行なうことが可能となる。
【００１６】
実施の形態２．
図７は、この発明の実施の形態２による水処理施設統合運用管理システムを示す全体構成図である。
図７において、１〜３、１１〜１３、２１〜２７は図１におけるものと同一のものである。図７では、水処理施設２に、カメラ２９により撮像された映像を蓄積した映像サーバ２８を設けている。
【００１７】
図８は、この発明の実施の形態２による水処理施設統合運用管理システムの各装置を示す構成図である。
図８において、３、１２、１３、２３〜２５、２７、１２１〜１２３、１３０〜１３９、２３１、２４１、２４１、２５１〜２５３は図２におけるものと同一のものである。図８では、映像データ蓄積部２８１と、映像データ送信部２８２を有する映像サーバ２８が示されている。
【００１８】
図９は、この発明の実施の形態２による水処理施設統合運用管理システムの各装置のフローを示す図である。
【００１９】
図１０は、この発明の実施の形態２による水処理施設統合運用管理システムの水処理施設災害情報画面例を示す図である。
図１０において、Ａ水処理施設、Ｂ水処理施設など水処理施設ごとに状況が画面表示され、各設備状況についてのコメント４１が示され、さらに、画像データのファイル名４２が示されるとともに、指示事項４５が入力される。
【００２０】
図１１は、この発明の実施の形態２による水処理施設統合運用管理システムの水処理施設災害情報入力画面例を示す図である。
図１１において、設備状況入力欄５１を有し、送信ボタン５２を有している。図１１では、画像データ５３のファイル名が示されている。
【００２１】
実施の形態２では、図７に示すように、各水処理施設２に、映像を撮像するカメラ２９と、このカメラ２９により撮像された映像を蓄積した映像サーバ２８を設置する。
図９の全体的な処理フローは、実施の形態１（図３）と同じであるため、相違点のみ説明する。
水処理施設側Ｗｅｂ端末２５で災害情報入力時（Ｓ１２）に、映像サーバ２８に蓄積されている映像データ（Ｓ４１）から災害情報に関連する映像データを検索し、映像サーバ２８から送信された映像データ（Ｓ４２）を受信し、これを統合Ｗｅｂサーバ１３に送信する。
統合Ｗｅｂサーバ１３では、送られてきた映像データを用いて、水処理施設トータルでの災害情報コンテンツの画面製作（Ｓ２３）を行う。この画面例を図１０に示す。画面上に表示されている映像ファイルを選択すると、映像ファイルが再生（もしくは写真）される。
【００２２】
実施の形態２によれば、映像情報も統合管理センターへ送信できるため、より詳細に各水処理施設の災害情報を把握することが可能となる。
【００２３】
実施の形態３．
図１２は、この発明の実施の形態３による水処理施設統合運用管理システムの各装置のフローを示す図である。
次に、この発明の実施の形態３について説明する。実施の形態３の全体構成図及び各装置の構成は、実施の形態２と同じである。
実施の形態３は、図１２に基づき説明する。実施の形態１及び実施の形態２と同じ処理フローの説明は省略する。水処理施設Ｗｅｂサーバ２４にて、予め映像送信条件テーブル（Ｓ３）を持ち、例えば、映像取り込み条件を入力しておけば、その災害事象が発生した場合に、自動で映像データを取り込み（Ｓ２）、統合Ｗｅｂサーバ１３に対して送信処理を行う（Ｓ１）。
【００２４】
実施の形態３によれば、映像データも自動に統合管理センターへ送信されるため、各水処理施設側は災害情報のみの入力でよく入力の手間が省ける。
【００２５】
実施の形態４．
次にこの発明の実施の形態４について説明する。
図１３は、この発明の実施の形態４による水処理施設統合運用管理システムを示す全体構成図である。
図１３において、１〜３、１１〜１３、２１〜２７は図１におけるものと同一のものである。図１３では、水処理施設２に、水処理施設の設備図面や設備台帳が入力された維持管理サーバ３０を設けている。
【００２６】
図１４は、この発明の実施の形態４による水処理施設統合運用管理システムの各装置を示す構成図である。
図１４において、３、１２、１３、２３〜２５、２７、１２１〜１２３、１３０〜１３９、２３１、２４１、２４１、２５１〜２５３は図２におけるものと同一のものである。図１４では、維持管理データ蓄積部３０１と、維持管理データ送信部３０２を有する維持管理サーバ３０が示されている。
【００２７】
図１５は、この発明の実施の形態４による水処理施設統合運用管理システムの各装置のフローを示す図である。
【００２８】
図１６は、この発明の実施の形態４による水処理施設統合運用管理システムの水処理施設災害情報画面例を示す図である。
図１６では、Ａ水処理施設、Ｂ水処理施設など水処理施設ごとに状況が画面表示され、各設備状況についてのコメント４１が示され、さらに、設備図面、設備台帳のファイル名４３が示されるとともに、指示事項４５が入力される。
【００２９】
図１７は、この発明の実施の形態４による水処理施設統合運用管理システムの水処理施設災害情報入力画面例を示す図である。
図１７において、設備状況入力欄５１を有し、送信ボタン５２を有している。図１７では、設備図面、設備台帳のファイル名５４が示されている。
【００３０】
次に、動作について説明する。
図１３のように、維持管理サーバ３０を設置し、維持管理サーバ３０には、水処理施設の設備図面や設備台帳が入力されている。水処理施設側Ｗｅｂ端末２５で、災害情報入力時（Ｓ１２）に、維持管理サーバ３０に蓄積されている維持管理データ（Ｓ５２）から災害情報に関連する維持管理データ（例えば、＊＊＊設備の×××機器が故障している場合は、機器の図面やメーカ、問い合わせ先、メンテナンス時期等）を検索し、維持管理サーバ３０から送信された維持管理データ（Ｓ５１）を受信し、災害情報入力時に、統合Ｗｅｂサーバ１３に送信する。
統合Ｗｅｂサーバ１３では、送られてきた維持管理データを用いて、水処理施設トータルでの災害情報コンテンツの画面製作（Ｓ２３）を行う。この画面例を図１６に示す。図１６の画面上に表示されている設備図面、設備台帳を選択するとそれぞれのファイル内容が表示される。
【００３１】
実施の形態４によれば、維持管理情報も統合管理センターへ送信できるため、各水処理施設の災害情報に対する的確な指示を出すことが可能となる。
【００３２】
実施の形態５．
次に、この発明の実施の形態５について説明する。
図１８は、この発明の実施の形態５による水処理施設統合運用管理システムの各装置のフローを示す図である。
なお、全体構成図及び各装置の構成図は、実施の形態４と同じである。実施の形態５は、実施の形態１、実施の形態４と同じ処理フローの説明を省略する。
水処理施設Ｗｅｂサーバ２４にて、予め維持管理データ送信条件テーブル（Ｓ５）を持ち、例えば、維持管理データ取り込み条件を入力しておけば、その災害事象が発生した場合に、自動で維持管理データを取り込み（Ｓ４）、統合Ｗｅｂサーバ１３に対して送信処理を行う（Ｓ１）。これにより、統合Ｗｅｂサーバ１３は、災害情報コンテンツの製作に反映することができる。
【００３３】
実施の形態５によれば、維持管理データも自動に統合管理センターへ送信されるため、各水処理施設側は、災害情報のみの入力でよく入力の手間が省ける。
【００３４】
実施の形態６．
次にこの発明の実施の形態６について説明する。
図１９は、この発明の実施の形態６による水処理施設統合運用管理システムの水処理施設災害情報画面例を示す図である。
図１９では、Ａ水処理施設、Ｂ水処理施設など水処理施設ごとに状況が画面表示され、各設備状況についてのコメント４１が示され、さらに、画像データ、設備図面、設備台帳のファイル名４４が示されるとともに、指示事項４５が入力される。
【００３５】
図２０は、この発明の実施の形態６による水処理施設統合運用管理システムの別の水処理施設災害情報画面例を示す図である。
図２０において、河川６０に沿って地図上にＡ水処理施設６１、Ｂ水処理施設６２、Ｃ水処理施設６３が示され、それぞれをクリックすることによりクリックされた水処理施設に関連する災害詳細情報ウィンドウが表示される。図２０では、Ａ水処理施設６１の災害詳細情報ウィンドウ６１１が表示されている。
【００３６】
実施の形態６は、実施の形態３と実施の形態５を組み合わせたものである。処理フロー等は、実施の形態３と実施の形態５を組み合わせたものであるので、その説明を割愛する。図１９、図２０は本発明の水処理施設災害情報画面例を示す。
図１９は、実施の形態３、実施の形態５と同様の画面であるが、画像データ、設備図面、設備台帳のファイル名４４が表示される。
図２０では、地図上の河川に沿って、Ａ水処理施設６１、Ｂ水処理施設６２、Ｃ水処理施設６３が示され、それぞれをクリックすることにより、クリックされた水処理施設に関連する災害詳細情報ウィンドウが表示される。図２０では、Ａ水処理施設６１の災害詳細情報ウィンドウ６１１が表示されている。これによって、各水処理施設の災害状況がすぐにわかる。
【００３７】
実施の形態６によれば、プラント運転情報、映像データ、維持管理データは、自動で統合管理センター側に送信されるので、各水処理施設側は災害情報のみの入力でよく、且つ、統合管理センター側では、それぞれの水処理施設の状況把握、及び水処理施設トータルでの状況把握が可能となるため、最適な指示を行うことが可能となる。
【００３８】
実施の形態７．
次に、この発明の実施の形態７について説明する。実施の形態７は、実施の形態１〜実施の形態６全てに対応するものである。
図２１は、この発明の実施の形態７による水処理施設統合運用管理システムの各装置のフローを示す図である。
【００３９】
図２１のように、統合Ｗｅｂサーバ１３側で作成した水処理施設トータルでの災害情報コンテンツ（Ｓ２３）や水処理施設への対応指示コンテンツ（Ｓ２４）を履歴情報として、履歴情報の蓄積（Ｓ２５）（履歴情報蓄積手段）に蓄積する。これにより、過去に起った履歴情報を確認することが可能となる。
【００４０】
実施の形態７によれば、履歴情報より、過去に発生した災害に対してどのような処置、指示をしたかを確認することにより、的確な指示が可能となる。
【図面の簡単な説明】
【００４１】
【図１】この発明の実施の形態１による水処理施設統合運用管理システムを示す全体構成図である。
【図２】この発明の実施の形態１による水処理施設統合運用管理システムの各装置を示す構成図である。
【図３】この発明の実施の形態１による水処理施設統合運用管理システムの各装置のフローを示す図である。
【図４】この発明の実施の形態１による水処理施設統合運用管理システムの水処理施設災害情報画面例を示す図である。
【図５】この発明の実施の形態１による水処理施設統合運用管理システムの水処理施設災害情報入力画面例を示す図である。
【図６】この発明の実施の形態１による水処理施設統合運用管理システムの統合Ｗｅｂサーバ１３の受信信号定義ファイルを示す図である。
【図７】この発明の実施の形態２による水処理施設統合運用管理システムを示す全体構成図である。
【図８】この発明の実施の形態２による水処理施設統合運用管理システムの各装置を示す構成図である。
【図９】この発明の実施の形態２による水処理施設統合運用管理システムの各装置のフローを示す図である。
【図１０】この発明の実施の形態２による水処理施設統合運用管理システムの水処理施設災害情報画面例を示す図である。
【図１１】この発明の実施の形態２による水処理施設統合運用管理システムの水処理施設災害情報入力画面例を示す図である。
【図１２】この発明の実施の形態３による水処理施設統合運用管理システムの各装置のフローを示す図である。
【図１３】この発明の実施の形態４による水処理施設統合運用管理システムを示す全体構成図である。
【図１４】この発明の実施の形態４による水処理施設統合運用管理システムの各装置を示す構成図である。
【図１５】この発明の実施の形態４による水処理施設統合運用管理システムの各装置のフローを示す図である。
【図１６】この発明の実施の形態４による水処理施設統合運用管理システムの水処理施設災害情報画面例を示す図である。
【図１７】この発明の実施の形態４による水処理施設統合運用管理システムの水処理施設災害情報入力画面例を示す図である。
【図１８】この発明の実施の形態５による水処理施設統合運用管理システムの各装置のフローを示す図である。
【図１９】この発明の実施の形態６による水処理施設統合運用管理システムの水処理施設災害情報画面例を示す図である。
【図２０】この発明の実施の形態６による水処理施設統合運用管理システムの別の水処理施設災害情報画面例を示す図である。
【図２１】この発明の実施の形態７による水処理施設統合運用管理システムの各装置のフローを示す図である。
【符号の説明】
【００４２】
１  統合管理センター、２  水処理施設、３  通信回線、
１３  統合Ｗｅｂサーバ、１２  統合監理センター側Ｗｅｂ端末、
２４  水処理施設Ｗｅｂサーバ、２５  水処理施設側Ｗｅｂ端末、
２３  データベース装置、２２  監視制御装置、２８  映像サーバ、
２９  カメラ、３０  維持管理サーバ、
１２１  コンテンツ表示要求部、１２２  指示データ入力部、１２３  画面表示部、
１３０  災害情報コンテンツ蓄積部、１３１  データ受信部、
１３２  送信データ要求テーブル、１３３  データチェック部、
１３４  警報出力管理テーブル、１３５  警報出力部、１３６、プラントデータ蓄積部、
１３７  コンテンツ表示要求受信部、１３８  災害情報入力コンテンツ製作部、
１３９  災害情報コンテンツ製作部、２３１  定周期収集データ、
２４１  データ受信部、２４２  データ送信部、２５１  画面表示部、
２５２  災害情報入力部、２５３  コンテンツ表示要求部、
２８１  映像データ蓄積部、２８２  映像データ送信部、
３０１  維持管理データ蓄積部、３０２  維持管理データ送信部。
【図１】
2008165549.tif 000003
【図２】
2008165549.tif 000004
【図３】
2008165549.tif 000005
【図４】
2008165549.tif 000006
【図５】
2008165549.tif 000007
【図６】
2008165549.tif 000008
【図７】
2008165549.tif 000009
【図８】
2008165549.tif 000010
【図９】
2008165549.tif 000011
【図１０】
2008165549.tif 000012
【図１１】
2008165549.tif 000013
【図１２】
2008165549.tif 000014
【図１３】
2008165549.tif 000015
【図１４】
2008165549.tif 000016
【図１５】
2008165549.tif 000017
【図１６】
2008165549.tif 000018
【図１７】
2008165549.tif 000019
【図１８】
2008165549.tif 000020
【図１９】
2008165549.tif 000021
【図２０】
2008165549.tif 000022
【図２１】
2008165549.tif 000023